(57)【要約】  複合外装用パネル建築システムは、複合外装用パネルであって、各パネルが、耐水性材料から製造された外側層によって包囲された、断熱材料から製造された内側層を備える、複合外装用パネルと；少なくとも１つの固定面を介して支持構造に固定されるように構成された少なくとも１つの支持押出し型材であって、前記複合外装用パネルの内側面を支持するように構成された少なくとも１つの支持押出し型材と；少なくとも１つの角部押出し型材であって、前記支持構造に取り付けられた固定押出し型材を介して、２つの隣接する同様の複合外装用パネルの外縁部の間に形成された間隙内に支持構造を取り付けるように構成されており、前記間隙を密封するために前記隣接するパネルの前記外縁部を覆うように構成される少なくとも１つの角部押出し型材と；を備える。
2016504507.tif 000002
【特許請求の範囲】
【請求項１】
複合外装用パネル建築システムであって、
耐水性材料から製造された外側層と、
断熱材料から製造された内側層と、
を備える複合外装用パネルと、
少なくとも１つの固定面を介して支持構造に固定されるように構成された少なくとも１つの支持押出し型材と、
を備える、複合外装用パネル建築システム。
【請求項２】
前記内側層は、独立気泡フォームから製造される、請求項１に記載の複合外装用パネル建築システム。
【請求項３】
前記独立気泡フォームは、押出ポリスチレンフォームとされる、請求項２に記載の複合外装用パネル建築システム。
【請求項４】
前記外側層は金属シートとされる、請求項１〜３のいずれか一項に記載の複合外装用パネル建築システム。
【請求項５】
前記金属シートはアルミニウムとされる、請求項４に記載の複合外装用パネル建築システム。
【請求項６】
前記外側層は、１ｍｍから４ｍｍの範囲の厚さを有する、請求項１〜５のいずれか一項に記載の複合外装用パネル建築システム。
【請求項７】
前記外側層は、３ｍｍの厚さを有する、請求項６に記載の複合外装用パネル建築システム。
【請求項８】
前記外側層は、両面テープによって前記内側層に固定される、請求項１〜７のいずれか一項に記載の複合外装用パネル建築システム。
【請求項９】
角接合部は、９０°の入隅接合部、１３５°の入隅接合部、９０°の出隅接合部、及び、１３５°の出隅接合部のグループから選択される、請求項１〜８のいずれか一項に記載の複合外装用パネル建築システム。
【請求項１０】
前記複合外装用パネル建築システムはまた、建物の屋根の下端に対して前記複合外装用パネルの上縁部を位置させるために構成された少なくとも１つの下端押出し型材を備える、請求項１〜９のいずれか一項に記載の複合外装用パネル建築システム。
【請求項１１】
前記複合外装用パネル建築システムはまた、建物の基礎面に対して前記複合外装用パネルの底縁部を位置させるために構成された少なくとも１つの基礎押出し型材を備える、請求項１〜１０のいずれか一項に記載の複合外装用パネル建築システム。
【請求項１２】
前記複合外装用パネル建築システムはまた、建物の屋根の下枠に対して前記複合外装用パネルの上縁部を位置させるために構成された少なくとも１つの下枠押出し型材を備える、請求項１〜１１のいずれか一項に記載の複合外装用パネル建築システム。
【請求項１３】
前記複合外装用パネル建築システムはまた、建物の上部窓枠又は上部ドア枠に対して前記複合外装用パネルの底縁部を位置させるために構成された少なくとも１つの上枠押出し型材を備える、請求項１〜１２のいずれか一項に記載の複合外装用パネル建築システム。
【請求項１４】
複合外装用パネルシステムのための複合外装パネルを製造する方法であって、
ａ．断熱材料から製造された内側層の一の側に耐水性材料から製造された外側層を押圧するステップを備える、方法。
【請求項１５】
請求項１４に記載の複合外装用パネルシステムのための複合外装パネルを製造する方法であって、
ｂ．両面テープを使用して前記外側層を前記内側層に固定するステップを備える、方法。
【請求項１６】
請求項１４に記載の複合外装用パネルシステムのための複合外装パネルを製造する方法であって、
ｂ．前記外側層を前記内側層に真空密封するステップを備える、方法。
【請求項１７】
建物の外側を外装するための部品のキットであって、
前記部品のキットは、
耐水性材料から製造された外側層と、
断熱材料から製造された内側層と、
を備える複合外装用パネルと、
少なくとも１つの固定面を介して支持構造に固定されるように構成された少なくとも１つの支持押出し型材と、
を備える、部品のキット。
【発明の詳細な説明】
【技術分野】
【０００１】
本願は、ニュージーランド特許出願第６０４７６１号に関連して出願された仮明細書に基づいており、その内容全体は、本願明細書に組み込まれる。
【０００２】
本願発明は一般的に、複合外装用パネル建築システムに関する。特に、本願発明は、建築骨組に対する取付のために作成済みの外装用パネルを有する複合外装用パネル建築システムに関する。
【背景技術】
【０００３】
非耐力外側ファサード（non-load bearing exterior facade）を形成するために、事前形成された外装用パネル（アルミニウムパネル等）が取り付けられる木材フレーム又は鉄骨フレームを備える建物は、知られている。そのような建物は、レンガ又はブロックのファサード建物より素早く安価に建てることができる。
【０００４】
そのようなパネルによる建築方法は、現場で建築骨組からのそれぞれに要求されたパネルの寸法を計測することを含む。要求された寸法のパネルは、パネルを現場に戻す前に、現場から離れて専門の切断装置によって切断される。この工程は、要求された全てのパネルが設置される時まで繰り返される必要がある場合がある。そのような建築方法の欠点は、多大な時間を必要とすること、たくさんの人手を要すること、及び高価とされることである。
【０００５】
さらに、建築骨組に装着される事前形成された外装用パネルによる現在の建築方法は、シリコーン又は同様のものによりパネルを防塵防滴にすることを含む。この欠点は、しばらくすると（例えば１０年経過すると）シリコーンが破壊される場合があり、その結果、これらのパネルは周期的に再密封される必要があり、このことは時間的に不都合であり、且つ高価とされる場合がある。
【発明の概要】
【発明が解決しようとする課題】
【０００６】
上記で議論したような、先行技術の問題の少なくともいくつかに対処する複合外装用パネルシステムを提供することが本願発明の目的である。
【０００７】
代替的には、一般市民に有益な選択を少なくとも提供することが本願発明の目的である。
【課題を解決するための手段】
【０００８】
本願発明の一の態様によれば、複合外装用パネル建築システムであって、
耐水性材料から製造された外側層と、
断熱材料から製造された内側層と、
を備える複合外装用パネルと、
少なくとも１つの固定面を介して支持構造に固定されるように構成された少なくとも１つの支持押出し型材と、
を備える、複合外装用パネル建築システムが提供される。
【０００９】
好ましくは、内側層は、独立気泡フォームから製造される。
【００１０】
より好ましくは、独立気泡フォームは、押出ポリスチレンフォームとされる。
【００１１】
好ましくは、外側層は金属シートとされる。
【００１２】
より好ましくは、金属シートはアルミニウムとされる。
【００１３】
好ましくは、外側層は、１ｍｍから４ｍｍの範囲の厚さを有する。
【００１４】
より好ましくは、外側層は、３ｍｍの厚さを有する。
【００１５】
好ましくは、外側層は、両面テープによって内側層に固定される。
【００１６】
好ましくは、角接合部は、９０°の入隅接合部、１３５°の入隅接合部、９０°の出隅接合部、及び、１３５°の出隅接合部のグループから選択される。
【００１７】
好ましくは、複合外装用パネルシステムはまた、建物の屋根の下端に対して前記複合外装用パネルの上縁部を位置させるために構成された少なくとも１つの下端押出し型材を備える。
【００１８】
好ましくは、複合外装用パネルシステムはまた、建物の基礎面に対して前記複合外装用パネルの底縁部を位置させるために構成された少なくとも１つの基礎押出し型材を備える。
【００１９】
好ましくは、複合外装用パネルシステムはまた、建物の屋根の下枠に対して前記複合外装用パネルの上縁部を位置させるために構成された少なくとも１つの下枠押出し型材を備える。
【００２０】
好ましくは、複合外装用パネルシステムはまた、建物の上部窓枠又は上部ドア枠に対して前記複合外装用パネルの底縁部を位置させるために構成された少なくとも１つの上枠押出し型材を備える。
【００２１】
本願発明の第２の態様によれば、複合外装用パネルシステムのための複合外装パネルを製造する方法であって、
ａ．断熱材料から製造された内側層の一の側に、耐水性材料から製造された外側層を押圧するステップを備える、方法が提供される。
【００２２】
好ましくは、複合外装用パネルを製造する方法はまた、ｂ．両面テープを使用して外側層を内側層に固定するステップをさらに備える。
【００２３】
好ましくは、複合外装用パネルを製造する方法は、
ｂ．外側層を前記内側層に真空密封するステップをさらに備える。
【００２４】
本願発明の第３の態様によれば、建物の外観を外装するための部品のキットであって、
・複合外装用パネルであって、
耐水性材料から製造された外側層と、
断熱材料から製造された内側層と、
を備える複合外装用パネルと、
少なくとも１つの固定面を介して支持構造に固定されるように構成された少なくとも１つの支持押出し型材と、
を備える、部品のキットが提供される。
【００２５】
本願発明は一例として、且つ添付の図面のいずれか１つを参照して次いで記載されるであろう。
【図面の簡単な説明】
【００２６】
【図１ａ】本願発明の複合外装用パネルシステムにおける使用のための複合外装用パネルの好ましい実施形態の側面図である。
【図１ｂ】図１ａに示された好ましい実施形態の断面斜視図である。
【図２】本願発明の複合外装用パネルシステムにおける使用のための複合外装用パネルの第２の好ましい実施形態の斜視図である。
【図３】本願発明の複合外装用パネルシステムによって建築された、図１ａに示されるような複数の複合外装用パネルを有する建物の正面図である。
【図４】図３に示された建物の水平方向及び垂直方向の接合部の断面図である。
【図５】図３に示された下端の断面図である。
【図６】図３に示された基礎部の断面図である。
【図７】図３に示された建物の９０°の出隅接合部の断面図である。
【図８】図３に示された建物の１３５°の出隅接合部の断面図である。
【図９】図３に示された建物の９０°の入隅接合部の断面図である。
【図１０】図３に示された建物の１３０°の入隅接合部の断面図である。
【図１１】図３に示された、下枠の断面図である。
【図１２】図３に示されたたて枠の断面図である。
【図１３】図３に示された建物の上部窓枠の断面図である。
【発明を実施するための形態】
【００２７】
［複合外装用パネル］
本願発明の第１の実施形態において、建築システムのための複合外装用パネルは通常、参照符号１’によって指し示される。パネル（１’）は、アルミニウムシート（２’）から製造された外側層を備える。当該外側層の厚さが３ｍｍであり、内側層（３’）を包囲している。当該内側層の厚さが１２ｍｍであり、当該内側層は、押出ポリスチレン独立気泡フォームの形態で断熱材料から製造される。
【００２８】
アルミニウムシート（２’）の外側表面は、製造時に粉末塗装されており、それ故に建物の壁に取り付けられた後で仕上げを必要としない。パネル（１’）は必要に応じて、（例えば０．９ｍ×１．１ｍ等の）異なる寸法で製造されることができる。
【００２９】
複合外装用パネル（１’）は、アルミニウムシート（２’）を断熱材料（３’）に押圧する第１のステップによって製造される。アルミニウムシート（２’）は、両面テープ（４’）を介して断熱材料（３’）に接着される。
【００３０】
図２を参照すると、本願発明の好ましい第２の実施形態において、外装用パネルシステムのための複合外装用パネルは、参照符号１によって指し示される。複合外装用パネル（１）は、アルミニウムシート（２）から製造された外側層を備える。当該外側層の厚さは１ｍｍであり、当該外側層は、押出ポリスチレン独立気泡フォームの形態で断熱材料から製造された内側層（３）を包囲する。
【００３１】
アルミニウムシート（２）の外側表面は、製造時に粉末塗装されており、それによって建物の壁に取り付けられた後で仕上げを必要としない。パネル（１）は必要に応じて、（例えば０．９ｍ×１．１ｍ等の）異なる寸法で製造されることができる。
【００３２】
複合外装用パネル（１）は、断熱フォームコア（３）の形態における内側層の一の側に、アルミニウムシート（２）の形態における外側層を押圧し、両面テープを使用してアルミニウムシート（２）を断熱フォームコア（３）に固定する、又は、断熱フォームコア（３）にアルミニウムシート（２）を真空密封する第１のステップによって製造される。
【００３３】
［複合外装用パネルシステム］
本願発明の複合外装用パネルシステムは、（例えば中型の住宅で３日間など）短時間で建物を被覆するための（パネル、雨押さえ、及び型を備える）統合システムを提供する。複合外装用パネルシステムは、現場で設置されることができるキットセットの形態で提供されることができる。図３を参照すると、パネル（１’又は１）は、建物の骨組に取り付けられる。それによって、それらのパネルは、（図４に示されるように）垂直方向の接合部（５）又は水平方向の接合部（６）を形成するために、壁の平面（一般的に参照符号１００によって示される）において一定の間隔を空けて配置される。
パネル（１’又は１）は、屋根（示されていない）の下端（７）に対して下に載置するように、床（図６に示される）とともに基礎部（８）を形成するように、出隅（９）（図７及び８に示される）を形成するように、入隅（１０）（図９及び１０に示される）を形成するように、窓（２００）の下枠（１１）（図１１に示される）及び／又は窓（２００）のたて枠及び／又は窓の上部１３（図１３に示される）に隣接して位置付けられるように、位置付けられることができる。
【００３４】
使用時に、パネル（１’又は１）は、アルミニウムシート（２）を通じて切断するための鋸及び断熱材料層（３）を切断するためのスタンレイナイフ等の切断工具の使用により現場で必要とされる寸法に切断される。
【００３５】
図４を参照すると、パネル（１’又は１）は、外側から（建築骨組３００にねじ止めされた）水平方向３０ｍｍのくぼみを有する当て金（horizontal 30mm cavity batten）１５内へ隣接するパネル（１’又は１）の間でねじ止めされることによって、建物の骨組（３００）にねじ（１４）を介して取り付けられる。それによって、それらのパネルは、建物の壁の平面において一定の間隔をあけて配置されることができる。細長い曲げやすい雨押さえ（１６）及びキャップ（１７）は、それらのねじ頭を隠すために、且つ建物の壁に審美的に魅力のある平らな外側表面を形成するために、矢印Ａの方向において外部ねじ頭に亘って留められる。
【００３６】
隣接するパネル（１’）の間に形成された接合部は、現場でパネル（１’）を防塵防滴にするためにテープで貼り付けられる。
【００３７】
図５〜１３に関連する以下の説明は、パネル１の使用に言及する。しかしながら、当業者は、パネル１’が本願発明の技術的範囲を逸脱することなく代替的に使用されることができることを認識するであろう。
【００３８】
［建物の下端に対する複合外装用パネルの取付］
図５を参照すると、パネル（１）は、上部キャップ押出し型材（１８）を介して屋根（図示せず）の下端（７）の平面の下に、且つ下端（７）の平面に対して垂直に位置付けられており、上部キャップ押出し型材（１８）は、３０ｍｍの上部くぼみを有する当て金（４００）にねじ（５００）によって固定される。当て金（４００）は次いで、建築骨組（３００）に固定される。
【００３９】
［建物の基礎部に対する複合外装用パネルの取付］
図６を参照すると、パネル（１）は、ねじ（２１）を介して当て金（２０）に対する基礎部キャップ押出し型材（１９）の固定によって、基礎部（８）の平面に対して垂直な位置にパネル（１）を位置させるために構成された基礎部キャップ押出し型材（１９）を介して、建築骨組の基礎部（８）に関連して固定される。
【００４０】
［建物の出隅に対する複合外装用パネルの取付］
図７を参照すると、２つの隣接するパネル（１ａ及び１ｂ）は、くぼみを有する支持当て金（それぞれ２３ａ及び２３ｂ）を介して２つの垂直壁フレーム部材（それぞれ２２ａ及び２２ｂ）に位置付けられ、且つねじ（それぞれ２５ａ及び２５ｂ）を介して固定される。くぼみを有する支持当て金（２３ａ及び２３ｂ）は、外板（それぞれ２４ａ及び２４ｂ）に当接する。建物の９０°の出隅における隣接するパネル（１ａ及び１ｂ）の間に形成された間隙は、ねじ（２５ａ及び２５ｂ）を介して建物に取り付けられる９０°の出隅接合ストリップ（２６）を介して覆われる。この方法において、出隅ストリップ（２６）は、（しばらくすると破壊される可能性があり、置換を必要とする）シリコーンを必要とすることなく、パネル（１ａ及び１ｂ）を超えた水の侵入からそれらの間の間隙を密封するために、パネル（１ａ及び１ｂ）の外側縁部と重なる。
【００４１】
図８を参照すると、２つの隣接するパネル（１ａ及び１ｂ）は、ねじ（それぞれ２９ａ及び２９ｂ）を介してくぼみを有する支持当て金（２８ａ及び２８ｂ）に固定することによって、２つの隣接する壁フレーム部材（それぞれ２７ａ及び２７ｂ）に位置付けられる。くぼみを有する支持当て金（２８ａ及び２８ｂ）は、外板（２９ａ及び２９ｂ）に当接する。隣接するパネル（１ａ及び１ｂ）の間に形成された間隙は、図７に関連して記載された類似の方法で１３５°の出隅接合部（３０）を介して覆われる。
【００４２】
［建物の入隅に対する複合外装用パネルの取付］
図９を参照すると、９０°の入隅接合ストリップ（３１）は、ねじ（それぞれ３４ａ及び３４ｂ）を介して３０ｍｍのくぼみを有する当て金（それぞれ３３ａ及び３３ｂ）に固定することにより、垂直壁フレーム部材（それぞれ３２ａ及び３２ｂ）に関連して隣接するパネル（１ａ及び１ｂ）を位置付ける。くぼみを有する当て金（３３ａ及び３３ｂ）は、外板（それぞれ３５ａ及び３５ｂ）に当接する。入隅接合部（３１）は、ねじ（それぞれ３４ａ及び３４ｂ）を介してくぼみを有する当て金（それぞれ３３ａ及び３３ｂ）に取り付けられる。この方法において、９０°の入隅接合部（３１）は、シリコーンを必要とすることなく、パネル（１ａ及び１ｂ）を超えた水の侵入からそれらの間の間隙を密封するために、パネル（１ａ及び１ｂ）の外側縁部と重なる。
【００４３】
図１０を参照すると、隣接するパネル（１ａ及び１ｂ）は、ねじ（それぞれ３８ａ及び３８ｂ）を介して、くぼみを有する支持当て金（それぞれ３７ａ及び３７ｂ）に固定することにより、２つの壁フレーム部材（それぞれ３６ａ及び３６ｂ）に位置付けられる。くぼみを有する支持当て金は、外板（それぞれ３９ａ及び３９ｂ）に当接する。１３５°の入隅接合部（４０）は、隣接するパネル（１ａ及び１ｂ）の間の間隙を覆い、図９に関連して記載される方法と同じ方法で固定される。
【００４４】
［建物の下枠に対する複合外装用パネルの取付］
図１１を参照すると、複合外装用パネル１の上縁部（６００）は、押出し型材（４４）を介して、下枠（４１）、窓枠（４２）、及び窓（４３）に対して位置し、且つ位置付けられる。パネル１の内側側面は、３０ｍｍのくぼみを有する当て金（４５）を介して支持される。押出し型材（４４）は、ねじ（４６）を介して下枠（４１）に支持される。押出し型材（４４）はまた、窓枠（４２）と下枠（４１）との間の水の侵入に対するバリアを提供する。
【００４５】
下枠（４１）は、支持部４８を介して建築骨組（４７）に対して位置付けられる。順に、窓枠（４２）は、支持部４９を介して下枠（４１）に対して位置付けられる。
【００４６】
［建物のたて枠に対する複合外装用パネルの取付］
図１２を参照すると、複合外装用パネル（１）の側縁部（７００）は、ねじ（図示せず）を介して３０ｍｍのくぼみを有する当て金（５３）に対する固定によって、窓（５０）、たて枠（５１）、及びアルミニウムフレーム（５２）に対して位置し、且つ位置付けられる。窓枠（５２）に隣接するパネル（１）の縁部は、フレーム縁（５２ａ）及びシール（５４）を介して位置付けられる。
【００４７】
当て金（５３）は、壁材（５５）に支持される。たて枠（５１）は、支持部（５７）を介して建築骨組（５６）に対して位置する。
【００４８】
［上部窓枠に対する複合外装用パネルの取付］
図１３を参照すると、パネル（１）は、ねじ（６２）を介して３０ｍｍのくぼみを有する当て金（６１）に対する固定によって、上部窓枠（５８）、窓枠（５９）、及び窓（６０）に対して位置付けられる。さらに、パネル（１）の底縁部（８００）は、キャッピング型（６３）を介して位置しており、このキャッピング型（６３）はねじ（６２）を介してくぼみを有する当て金（６１）に固定される。窓枠（５９）はチャネル（５９ａ）を介して上部窓枠（５８）に支持される。窓枠（５９）とくぼみを有する当て金（６１）が当接する壁材（６４）との間の間隙は、雨押え（６５）によって防塵防滴とされる。
【００４９】
図１２（たて枠）及び図１３（上部窓枠）に関する上記の説明は、ドアのたて枠又は上部ドア枠にも適用する。
【００５０】
［利点］
本願発明は、以下に記載されるように、先行技術に対する注目に値すべき利点を提供する。
・建物を建築する際の、改善された使用の容易性
・本願発明の建築システムによって建築された建物の改善された維持管理
・外面上で視認可能とされるねじを有していない改善された審美的な外観
【００５１】
［代替物］
本願発明はまた、本願明細書に言及された、又は本願明細書で指し示された部品、要素、及び特徴に個々に又は集団的に存するように、及び前記部品、要素、又は特徴の２つ以上の全て又はいずれかの組み合わせに存するように広く言われることができる。
【００５２】
以下の説明において、その周知な同等物を有する集合体又は構成要素を参照することで、それらの集合体は、個々に記載されるものとして本願に組み込まれる。
【００５３】
本願発明に記載された好ましい実施形態に対する様々な変更及び修正が当業者にとって明らかであることに留意されるべきである。そのような変更及び修正は、本願発明の精神及び技術的範囲から逸脱することなく、且つその付随する利点を減少させることなく、行われてもよい。それ故に、そのような変更及び修正が本願発明内に含まれることを意図している。
【００５４】
好ましい実施形態の説明及び特許請求の範囲の至るとことで、内容が別の方法を明らかに要求しない限り、「備える」、「備えている」、及び同様の用語は、排他的な意味に対して反対である包括的な意味又は網羅的な意味に解釈されるべきである。つまり、「含む」の意味に解釈されるべきであり、限定されるべきではない。
【００５５】
本願発明の態様は、一例として記載されており、添付された特許請求の範囲に規定されるように、その技術的範囲から逸脱することなく、修正及び追加がそれに対して行われる場合があることは認識されるべきである。
【符号の説明】
【００５６】
１  複合外装用パネル
１’  複合外装用パネル
２  アルミニウムシート
２’  アルミニウムシート
３  内側層、断熱材料層
３’  内側層、断熱材料
４’  両面テープ
５  接合部
６  接合部
７  下端
８  基礎部
９  出隅
１０  入隅
１１  下枠
１３  上部
１５  当て金
１７  キャップ
１８  型材
１９  型材
２０  当て金
２６  出隅ストリップ
２６  出隅接合ストリップ
３０  出隅接合部
３０  （建築骨組３００にねじ止めされた）水平方向
３１  入隅接合部
３１  入隅接合ストリップ
４０  入隅接合部
４１  下枠
４２  窓枠
４３  窓
４４  型材
４５  当て金
４７  建築骨組
４８  支持部
４９  支持部
５０  窓
５１  枠
５２  アルミニウムフレーム
５２  窓枠
５３  当て金
５４  シール
５５  壁材
５６  建築骨組
５７  支持部
５８  上部窓枠
５９  窓枠
６０  窓
６１  当て金
６３  キャッピング型
６４  壁材
２００  窓
３００  建築骨組
４００  当て金
６００  上縁部
７００  側縁部
８００  底縁部
【図１ａ】
2016504507.tif 000003
【図１ｂ】
2016504507.tif 000004
【図２】
2016504507.tif 000005
【図３】
2016504507.tif 000006
【図４】
2016504507.tif 000007
【図５】
2016504507.tif 000008
【図６】
2016504507.tif 000009
【図７】
2016504507.tif 000010
【図８】
2016504507.tif 000011
【図９】
2016504507.tif 000012
【図１０】
2016504507.tif 000013
【図１１】
2016504507.tif 000014
【図１２】
2016504507.tif 000015
【図１３】
2016504507.tif 000016
【手続補正書】
【提出日】平成27年8月18日(2015.8.18)
【手続補正１】
【補正対象書類名】特許請求の範囲
【補正対象項目名】全文
【補正方法】変更
【補正の内容】
【特許請求の範囲】
【請求項１】
複合外装用パネル建築システムであって、
使用時に建築骨組に固定された、くぼみを有する当て金と、
耐水性材料から製造された外側層と、
断熱材料から製造された内側層と、
を備える複合外装用パネルと、
少なくとも１つの固定面を介して前記くぼみを有する当て金に固定されるように構成された少なくとも１つの支持押出し型材と、
を備え、
前記くぼみを有する当て金は、前記複合外装用パネルと前記建築骨組との間にキャビティを提供する、複合外装用パネル建築システム。
【請求項２】
前記内側層は、独立気泡フォームから製造される、請求項１に記載の複合外装用パネル建築システム。
【請求項３】
前記独立気泡フォームは、押出ポリスチレンフォームとされる、請求項２に記載の複合外装用パネル建築システム。
【請求項４】
前記外側層は金属シートとされる、請求項１〜３のいずれか一項に記載の複合外装用パネル建築システム。
【請求項５】
前記金属シートはアルミニウムとされる、請求項４に記載の複合外装用パネル建築システム。
【請求項６】
前記外側層は、１ｍｍから４ｍｍの範囲の厚さを有する、請求項１〜５のいずれか一項に記載の複合外装用パネル建築システム。
【請求項７】
前記外側層は、３ｍｍの厚さを有する、請求項６に記載の複合外装用パネル建築システム。
【請求項８】
前記外側層は、両面テープによって前記内側層に固定される、請求項１〜７のいずれか一項に記載の複合外装用パネル建築システム。
【請求項９】
角接合部は、９０°の入隅接合部、１３５°の入隅接合部、９０°の出隅接合部、及び、１３５°の出隅接合部のグループから選択される、請求項１〜８のいずれか一項に記載の複合外装用パネル建築システム。
【請求項１０】
前記複合外装用パネル建築システムはまた、建物の屋根の下端に対して前記複合外装用パネルの上縁部を位置させるために構成された少なくとも１つの下端押出し型材を備える、請求項１〜９のいずれか一項に記載の複合外装用パネル建築システム。
【請求項１１】
前記複合外装用パネル建築システムはまた、建物の基礎面に対して前記複合外装用パネルの底縁部を位置させるために構成された少なくとも１つの基礎押出し型材を備える、請求項１〜１０のいずれか一項に記載の複合外装用パネル建築システム。
【請求項１２】
前記複合外装用パネル建築システムはまた、建物の屋根の下枠に対して前記複合外装用パネルの上縁部を位置させるために構成された少なくとも１つの下枠押出し型材を備える、請求項１〜１１のいずれか一項に記載の複合外装用パネル建築システム。
【請求項１３】
前記複合外装用パネル建築システムはまた、建物の上部窓枠又は上部ドア枠に対して前記複合外装用パネルの底縁部を位置させるために構成された少なくとも１つの上枠押出し型材を備える、請求項１〜１２のいずれか一項に記載の複合外装用パネル建築システム。
【請求項１４】
複合外装用パネルシステムのための複合外装パネルを製造する方法であって、
ａ．断熱材料から製造された内側層の一の側に耐水性材料から製造された外側層を押圧するステップを備える、方法。
【請求項１５】
請求項１４に記載の複合外装用パネルシステムのための複合外装パネルを製造する方法であって、
ｂ．両面テープを使用して前記外側層を前記内側層に固定するステップを備える、方法。
【請求項１６】
請求項１４に記載の複合外装用パネルシステムのための複合外装パネルを製造する方法であって、
ｂ．前記外側層を前記内側層に真空密封するステップを備える、方法。
【請求項１７】
建物の外側を外装するための部品のキットであって、
前記部品のキットは、
耐水性材料から製造された外側層と、
断熱材料から製造された内側層と、
を備える複合外装用パネルと、
少なくとも１つの固定面を介して支持構造に固定されるように構成された少なくとも１つの支持押出し型材と、
を備える、部品のキット。
【手続補正２】
【補正対象書類名】明細書
【補正対象項目名】０００８
【補正方法】変更
【補正の内容】
【０００８】
本願発明の一の態様によれば、複合外装用パネル建築システムであって、
使用時に建築骨組に固定された、くぼみを有する当て金と、
耐水性材料から製造された外側層と、
断熱材料から製造された内側層と、
を備える複合外装用パネルと、
少なくとも１つの固定面を介して前記くぼみを有する当て金に固定されるように構成された少なくとも１つの支持押出し型材と、
を備え、
前記くぼみを有する当て金は、前記複合外装用パネルと前記建築骨組との間にキャビティを提供する、複合外装用パネル建築システムが提供される。
【国際調査報告】
2016504507.tif 000017
2016504507.tif 000018
2016504507.tif 000019
2016504507.tif 000020
2016504507.tif 000021